(57)【要約】【課題】風雨による屋根の経年劣化を抑制できるとともに、内部を流れる雨水の水勢を向上できる屋根構造を提供することを目的とする。【解決手段】樋材２０は、屋根１の外周端面４に固定される屋根側面部２１と、該屋根側面部２１と平行に、かつ外部側に離間して配置される外部側面部２２と、屋根側面部２１および外部側面部２２の下端部間に架け渡される底面部２３とを備える。そして、底面部２３の第一底面部２３ａに対する外部側面部２２の角度Ａが、屋根勾配プラス９０度に設定されることによって、軒先側端面４ａ側の樋材２０の第一底面部２３ａが水平配置される際に、ケラバ側端面４ｂ側の樋材２０の第一底面部２３ａが、外部側面部２２に向かって迫り上がるようにして斜めに配置される。【選択図】図６
2014015720.tif 000002
【特許請求の範囲】
【請求項１】
軒先部とケラバ部とを有する勾配屋根のうち、連続する軒先側端面とケラバ側端面とからなる屋根の外周端面に沿って、上部が開口した樋材が連続的に複数取り付けられてなる屋根構造において、
前記樋材は、前記屋根の外周端面に固定される屋根側面部と、
前記屋根側面部と平行に、かつ外部側に離間して配置される外部側面部と、
前記屋根側面部および前記外部側面部の下端部間に架け渡されるようにして一体形成される底面部と、を備えており、
前記底面部は、外部側に配置される第一底面部と、屋根側に配置される第二底面部とを有することによって断面略Ｌ字状の溝として形成されており、
前記第一底面部に対する前記外部側面部の角度が、屋根勾配プラス９０度に設定されることによって、前記軒先側端面に取り付けられる前記樋材の前記第一底面部が水平配置される際に、前記ケラバ側端面に取り付けられる前記樋材の前記第一底面部が、前記外部側面部に向かって迫り上がるようにして斜めに配置されることを特徴とする屋根構造。
【請求項２】
請求項１に記載の屋根構造において、
前記軒先側端面と前記ケラバ側端面とが交差する前記外周端面のコーナー部には、平面視略Ｌ字状に形成されたコーナー用樋材が取り付けられており、
前記コーナー用樋材は、前記樋材と同一断面の樋材の接合側端部を、平面視において同一角度で斜めカットしたもの同士を接合することによって構成されていることを特徴とする屋根構造。
【請求項３】
請求項２に記載の屋根構造において、
前記コーナー部は、出隅コーナー部または入隅コーナー部であることを特徴とする屋根構造。
【請求項４】
請求項１〜３のいずれか一項に記載の屋根構造において、
前記樋材は、前記屋根側面部の上端部に一体形成されるとともに、該屋根側面部よりも屋根側に延出する延出部を、さらに備えており、
前記屋根側面部に対する前記延出部の角度は９０度に設定され、該延出部は、前記屋根の上面に固定されていることを特徴とする屋根構造。
【請求項５】
請求項１〜４のいずれか一項に記載の屋根構造において、
前記第一底面部に対する前記第二底面部の角度は９０度に設定されていることを特徴とする屋根構造。
【発明の詳細な説明】
【技術分野】
【０００１】
本発明は、軒先部とケラバ部とを有する勾配屋根の外周端面に沿って、上部が開口した樋材が連続的に複数取り付けられてなる屋根構造に関する。
【背景技術】
【０００２】
従来、例えば切妻屋根の外周端面、すなわち軒先側からケラバ側に連続して、同一断面形状の樋材を取り付ける技術が知られている（例えば、特許文献１参照）。
このように軒先側からケラバ側にかけて同一断面形状の樋材を取り付けることで、部品の共通化を図ることができるので、コストを削減や外観の連続性を得ることができる。
【先行技術文献】
【特許文献】
【０００３】
【特許文献１】特開２００８−２３１６６５号公報
【発明の概要】
【発明が解決しようとする課題】
【０００４】
ところが、特許文献１に記載の樋材は、雨水等を受け流す凹溝部を備え、屋根の外周端面から突出して取り付けられるものであるため、例えば従前よりケラバ側端面に使用されている破風板のような板状のものに比して、風の影響を受けやすい。このため、通常は、雨水による屋根の経年劣化への対策は種々行われるが、それに加えて、風による屋根の経年劣化への対策も必要となる。
さらに、ケラバ側端面に取り付けられた樋材の底面が平らな形状で、しかも、該底面が屋根面に対して斜めに配置されずに、例えば屋根の裏面と一直線上に、または平行に配置されていたりすると、樋材の凹溝部内を屋根の勾配方向下方に流れる雨水の水深が浅いため、凹溝部内に入った異物等を流すのに必要な水勢を確保できない場合があり、併せて解決が望まれている。
【０００５】
本発明の課題は、風雨による屋根の経年劣化を抑制できるとともに、内部を流れる雨水の水勢を向上できる屋根構造を提供することを目的とする。
【課題を解決するための手段】
【０００６】
請求項１に記載の発明は、例えば図１〜図６に示すように、軒先部２とケラバ部３とを有する勾配屋根１のうち、連続する軒先側端面４ａとケラバ側端面４ｂとからなる屋根１の外周端面４に沿って、上部が開口した樋材２０（２０Ａ，２０Ｂ）が連続的に複数取り付けられてなる屋根構造において、
前記樋材２０（２０Ａ，２０Ｂ）は、前記屋根１の外周端面４に固定される屋根側面部２１と、
前記屋根側面部２１と平行に、かつ外部側に離間して配置される外部側面部２２と、
前記屋根側面部２１および前記外部側面部２２の下端部間に架け渡されるようにして一体形成される底面部２３と、を備えており、
前記底面部２３は、外部側に配置される第一底面部２３ａと、屋根１側に配置される第二底面部２３ｂとを有することによって断面略Ｌ字状の溝として形成されており、
前記第一底面部２３ａに対する前記外部側面部２２の角度Ａが、屋根勾配プラス９０度に設定されることによって、前記軒先側端面４ａに取り付けられる前記樋材２０の前記第一底面部２３ａが水平配置される際に、前記ケラバ側端面４ｂに取り付けられる前記樋材２０の前記第一底面部２３ａが、前記外部側面部２２に向かって迫り上がるようにして斜めに配置されることを特徴とする。
【０００７】
請求項１に記載の発明によれば、前記屋根側面部２１が前記屋根１の外周端面４に固定されることによって、前記外部側面部２２は、前記屋根１の外周端面４から外部側に離間して配置される。したがって、前記外部側面部２２は、前記屋根側面部２１に対して、前記屋根１の勾配方向下方に位置することになる。このような外部側面部２２の下端部に前記第一底面部２３ａが一体形成され、前記第一底面部２３ａに対する前記外部側面部２２の角度Ａが屋根勾配プラス９０度に設定されているので、前記軒先側端面４ａに取り付けられる前記樋材２０の前記第一底面部２３ａは水平配置されることになる。一方、このような形状の樋材２０を前記ケラバ側端面４ｂに取り付けた際には、前記屋根側面部２１と前記外部側面部２２とが等しい高さに配置されることになるので、前記第一底面部２３ａは、前記外部側面部２２に向かって迫り上がるようにして斜めに配置されることになる。
このように前記ケラバ側端面４ｂにおいては前記第一底面部２３ａが外部側に向かって斜めに配置されているため、建物の妻側の外壁（例えば外壁１５）に当たった風が上方に吹き上がった際に、この風を、前記第一底面部２３ａに沿って誘導できるので、例えば前記ケラバ側端面４ｂにおいて前記第一底面部２３ａが水平配置される場合に比して、効率良く風を逃がすことができる。
さらに、前記軒先側端面４ａにおいては、建物の平側の外壁（例えば外壁１７）に当たった風が上方に吹き上がった際に、一旦、前記水平配置された第一底面部２３ａにあたるが、前記軒先側端面４ａ側の樋材２０と前記ケラバ側端面４ｂ側の樋材２０とが連続的に設けられるので、この風を、前記ケラバ部３側へと逃がし、さらに前記ケラバ側端面４ｂの斜めに配置された前記第一底面部２３ａに沿って効率良く逃がすことができる。
これによって、風による前記勾配屋根１の軒先部２およびケラバ部３の経年劣化を抑制することが可能となる。
また、前記ケラバ側端面４ｂにおいて前記第一底面部２３ａが斜めに配置されているので、この第一底面部２３ａに付着した雨水を誘導して意図的に下方に落とすことができる。これによって、雨が上がった後の乾燥を早めることができるので、粉塵等の付着を抑制でき、前記第一底面部２３ａを綺麗な状態に保つことができる。さらに、このように雨水を意図的に下方に落とせるので、例えば表面張力等によって長時間雨水が付着してしまう場合に比して、前記ケラバ側端面４ｂの樋材２０の経年劣化をさらに抑制することができる。
また、前記底面部２３は、前記第一底面部２３ａと、前記第二底面部２３ｂとを有することによって断面略Ｌ字状の溝として形成されているので、前記ケラバ部３側においては、前記底面部２３を屋根１の勾配方向下方に流れる雨水の水深を深くすることができる。これによって、例えば前記ケラバ部３側において前記底面部２３が平らに配置される場合に比して、前記底面部２３に入ったゴミや粉塵等の異物等を流すのに必要な水勢を確保できるので、該異物等が溜まるのを抑制することができる。
【０００８】
請求項２に記載の発明は、例えば図１〜図５に示すように、請求項１に記載の屋根構造において、
前記軒先側端面４ａと前記ケラバ側端面４ｂとが交差する前記外周端面４のコーナー部には、平面視略Ｌ字状に形成されたコーナー用樋材２０Ａ（２０Ｂ）が取り付けられており、
前記コーナー用樋材２０Ａ（２０Ｂ）は、前記樋材２０と同一断面の樋材２０の接合側端部を、平面視において同一角度Ｂで斜めカットしたもの同士を接合することによって構成されていることを特徴とする。
【０００９】
請求項２に記載の発明によれば、前記樋材２０と同一断面の樋材２０によって構成された平面視略Ｌ字状の前記コーナー用樋材２０Ａ（２０Ｂ）が、前記外周端面４のコーナー部に取り付けられているので、このコーナー用樋材２０Ａ（２０Ｂ）に対して、前記軒先側端面４ａおよび前記ケラバ側端面４ｂに取り付けられた前記樋材２０を接合しやすい。これによって、このコーナー用樋材２０Ａ（２０Ｂ）によって、前記軒先側端面４ａに取り付けられた前記樋材２０と、前記ケラバ側端面４ｂに取り付けられた前記樋材２０とを確実に連結することができるので、前記樋材２０（２０Ａ，２０Ｂ）を、前記屋根１の外周端面４に沿って連続的に取り付けることができる。
また、前記コーナー用樋材２０Ａ（２０Ｂ）は、前記樋材２０と同一断面の樋材２０の接合側端部を、平面視において同一角度Ｂで斜めカットしたもの同士を接合することによって構成されているので、該コーナー用樋材２０Ａ（２０Ｂ）を構成する一方の前記樋材２０と他方の前記樋材２０とを、接合面を境に左右対称に形成することができる。これによって、前記コーナー用樋材２０Ａ（２０Ｂ）のうち前記軒先側端面４ａに取り付けられる部位（すなわち、樋材２０）の第一底面部２３ａを水平配置すれば、前記ケラバ側端面４ｂに取り付けられる部位（すなわち、樋材２０）を前記屋根１の勾配に合わせて傾斜させることができる。
【００１０】
請求項３に記載の発明は、例えば図１〜図５に示すように、請求項２に記載の屋根構造において、
前記コーナー部は、出隅コーナー部または入隅コーナー部であることを特徴とする。
【００１１】
請求項３に記載の発明によれば、前記コーナー部は、出隅コーナー部または入隅コーナー部であることから、前記出隅コーナー部付近または前記入隅コーナー部付近を流れる雨水を、前記コーナー用樋材２０Ａ（２０Ｂ）によって確実に受けることができる。
【００１２】
請求項４に記載の発明は、例えば図１〜図６に示すように、請求項１〜３のいずれか一項に記載の屋根構造において、
前記樋材２０（２０Ａ，２０Ｂ）は、前記屋根側面部２１の上端部に一体形成されるとともに、該屋根側面部２１よりも屋根１側に延出する延出部２４を、さらに備えており、
前記屋根側面部２１に対する前記延出部２４の角度Ｃは９０度に設定され、該延出部２４は、前記屋根１の上面に固定されていることを特徴とする。
【００１３】
請求項４に記載の発明によれば、前記屋根側面部２１に対する前記延出部２４の角度Ｃは９０度に設定され、該延出部２４は、前記屋根１の上面に固定されているので、前記樋材２０（２０Ａ，２０Ｂ）自体を、前記屋根側面部２１と前記延出部２４を介して前記屋根１に固定することができる。前記屋根側面部２１に対する前記延出部２４の角度Ｃは、屋根勾配に関わらず９０度に設定されているので、例えば屋根勾配に従って前記第一底面部２３ａに対する前記外部側面部２２の角度Ａを適宜変更したとしても、前記屋根側面部２１に対する前記延出部２４の角度Ｃは変わらず、前記樋材２０（２０Ａ，２０Ｂ）を、前記屋根１に確実に取り付けることができる。
【００１４】
請求項５に記載の発明は、例えば図１〜図６に示すように、請求項１〜４のいずれか一項に記載の屋根構造において、
前記第一底面部２３ａに対する前記第二底面部２３ｂの角度Ｄは９０度に設定されていることを特徴とする。
【００１５】
請求項５に記載の発明によれば、前記第一底面部２３ａに対する前記第二底面部２３ｂの角度Ｄは９０度に設定されているので、前記第一底面部２３ａを水平配置すれば、前記樋材２０（２０Ａ，２０Ｂ）を見上げた時に前記第二底面部２３ｂが目に入りにくくなる。また、前記第一底面部２３ａを、前記外部側面部２２に向かって迫り上がるようにして斜めに配置すれば、前記第二底面部２３ｂが、前記屋根側面部２１に向かって迫り上がるようにして斜めに配置されることになる。つまり、前記樋材２０（２０Ａ，２０Ｂ）は、比較的角張った状態となっており、前記樋材２０（２０Ａ，２０Ｂ）を見た人にシャープな印象を与えることができる。
【発明の効果】
【００１６】
本発明によれば、風雨による屋根の軒先部、ケラバ部および樋材の経年劣化を抑制できるとともに、樋材の内部を流れる雨水の水勢を向上できる。
【図面の簡単な説明】
【００１７】
【図１】本発明に係る屋根構造のうち軒先部を示す断面図である。
【図２】同、ケラバ部を示す断面図である。
【図３】同、コーナー部の概略を示す斜視図である。
【図４】同、底面図である。
【図５】樋材を示す斜視図である。
【図６】同、断面図である。
【発明を実施するための形態】
【００１８】
以下、図面を参照して本発明の実施の形態について説明する。
なお、本実施の形態の屋根および該屋根が設けられる住宅等の建物は、該屋根や壁、床等の建物の構成要素を予め工場にてパネル化しておき、施工現場でこれらのパネルを組み立てて構築するパネル工法で構築されるが、従来の軸組工法や壁式工法の木造、鉄骨造、鉄筋コンクリート造等の建物にも適用することができる。
また、このパネルとは、縦横の框材が矩形状に組み立てられるとともに、矩形枠の内部に補助桟材が縦横に組み付けられて枠体が構成され、この枠体の両面もしくは片面に、面材が貼設されたものであり、内部中空な構造となっている。さらに、その内部中空な部分には、通常、グラスウールやロックウール等の断熱材が装填されるものである。
【００１９】
本実施の形態の屋根構造は、図１〜図６に示すように、軒先部２とケラバ部３とを有する勾配屋根１のうち、連続する軒先側端面４ａとケラバ側端面４ｂとからなる屋根１の外周端面４に沿って、上部が開口した樋材２０（２０Ａ，２０Ｂ）が連続的に複数取り付けられてなる。
そして、前記樋材２０（２０Ａ，２０Ｂ）は、前記屋根１の外周端面４に固定される屋根側面部２１と、前記屋根側面部２１と平行に、かつ外部側に離間して配置される外部側面部２２と、前記屋根側面部２１および前記外部側面部２２の下端部間に架け渡されるようにして一体形成される底面部２３と、を備える。
また、前記底面部２３は、外部側に配置される第一底面部２３ａと、屋根１側に配置される第二底面部２３ｂとを有することによって断面略Ｌ字状の溝として形成されている。さらに、前記第一底面部２３ａに対する前記外部側面部２２の角度Ａが、屋根勾配プラス９０度に設定されることによって、前記軒先側端面４ａに取り付けられる前記樋材２０の前記第一底面部２３ａが水平配置される際に、前記ケラバ側端面４ｂに取り付けられる前記樋材２０の前記第一底面部２３ａが、前記外部側面部２２に向かって迫り上がるようにして斜めに配置されている。
【００２０】
また、前記樋材２０（２０Ａ，２０Ｂ）の上部には、複数の排水孔を備えるとともに前記樋材２０の上部の開口部分（後述する上部開口部２５ｃ）を覆う樋カバー材３０が、図１，図２に示すように、前記樋材２０（２０Ａ，２０Ｂ）の延在方向に沿って連続的に、かつ段差のない状態で設けられている。このような樋カバー材３０によって落ち葉等が前記樋材２０（２０Ａ，２０Ｂ）の内部に侵入することを防ぐことができる。
また、前記屋根１の外周端面４と前記樋材２０（２０Ａ，２０Ｂ）との間には、図１〜図４に示すように、前記樋材２０（２０Ａ，２０Ｂ）の延在方向に沿って連続的に設けられ、後述する屋根裏空間１３と外部とを通気可能に連通する鼻隠し部材４０が介在している。
【００２１】
＜屋根の構成＞
前記屋根１は、上述のように建築用パネルで構成された屋根パネルである。この屋根パネルは、パネルの矩形枠を形成する縦横の框材１ａ，１ａと、矩形枠の内部に縦横に組み付けられる桟材１ｂ，１ｂと、これら框材１ａおよび桟材１ｂの上面に貼設される面材１ｃとを備える。
前記框材１ａのうち、前記屋根１の勾配方向に沿って配置されるものは垂木として機能することになる。また、前記桟材１ｂのうち、該垂木としての框材１ａと平行かつ離間して配置されるものも同様に垂木として機能する。
また、前記框材１ａのうち、前記垂木として機能する前記框材１ａと前記桟材１ｂの軒先側端面に、該框材１ａおよび桟材１ｂと直交して配置されるものは鼻隠し板として機能する。また、前記桟材１ｂのうち、該鼻隠し板としての框材１ａと平行かつ離間して配置されるものは桁材として機能する。
さらに、前記面材１ｃは、後述する複数の屋根材５…，６…が葺設される野地板として機能することになる。
【００２２】
また、本実施の形態の屋根１は例えば切妻屋根であり、前記軒先部２側の端部が、建物の平側の外壁１７から離間した位置に配置されており、軒の出がある状態となっている。一方、前記ケラバ部３側の端部は、建物の妻側の外壁１５近傍に配置されており、ケラバの出がほとんどない状態となっている。
なお、本実施の形態の屋根１は切妻屋根としたが、これに限定されるものではなく、前記軒先部２および前記ケラバ部３を備える形態の屋根であれば良い。
【００２３】
前記鼻隠し板としての框材１ａの下面には、図１に示すように、該框材１ａの長さ方向に間隔をあけて複数の切欠部Ｈが形成されている。そして、該切欠部Ｈを介して通気が可能となっており、前記框材１ａの外部側と、該框材１ａの内部側である屋根裏空間１３とが連通された状態となっている。
【００２４】
また、前記鼻隠し板としての框材１ａのうち、前記屋根１の勾配方向下方に位置する外側面には、前記切欠部Ｈを避けて、前記屋根１の勾配角度を考慮して形成された一対の調整材１ｄ，１ｄが取り付けられている。
前記一対の調整材１ｄ，１ｄは、双方ともに同一の断面台形状に形成されており、一方の調整材１ｄが前記框材１ａに固定されている。また、他方の調整材１ｄが、前記一方の調整材１ｄに対して、該一方の調整材１ｄとは天地を逆にした状態で固定されている。
【００２５】
前記一方の調整材１ｄのうち、前記屋根１の勾配方向下方に位置する面は鉛直面１ｅとされている。該鉛直面１ｅには、前記鼻隠し部材４０が固定される。すなわち、前記一対の調整材１ｄ，１ｄ間に、前記鼻隠し部材４０が挟み込まれた状態となる。
また、前記他方の調整材１ｄのうち、前記屋根１の勾配方向下方に位置する面は、前記樋材２０（２０Ａ，２０Ｂ）が取り付けられる被取付面１ｆとされている。
前記一対の調整材１ｄ，１ｄの断面形状を適宜変更することによって、例えば１／１や１／１．５、１／２・・・等、様々な勾配角度に設定された屋根でもそれぞれの軒先側端部に前記鉛直面１ｅを形成できる。なお、本実施の形態の屋根１は１／２勾配に設定されている。
【００２６】
前記屋根１の外周端面４は、上述のように軒先側端面４ａとケラバ側端面４ｂとからなる。本実施の形態において前記軒先側端面４ａは、前記一方の調整材１ｄが取り付けられる前記鼻隠し板としての框材１ａの側面を指している。また、前記ケラバ側端面４ｂは、前記垂木としての框材１ａの側面と、前記面材１ｃの側端面とを指している。
したがって、前記屋根１の軒先側端部においては、前記樋材２０（２０Ａ，２０Ｂ）の前記屋根側面部２１は、前記一対の調整材１ｄ，１ｄを介して、前記鼻隠し板としての框材１ａの側面（すなわち、前記軒先側端面４ａ）に固定されることになる。つまり、前記一対の調整材１ｄ，１ｄは、前記屋根１の延長部として設けられるものであり、前記屋根１は、これら一対の調整材１ｄ，１ｄを含んで構成されているものとする。
図示はしないが、換言すれば、前記屋根１を、前記一対の調整材１ｄ，１ｄを使用せずに、所定長さ分延長させたり、適宜加工したりするなどして該一対の調整材１ｄ，１ｄ同様の機能を持たせようにしてもよいものとする。
一方、前記屋根１のケラバ側端部においては、前記樋材２０（２０Ａ，２０Ｂ）の前記屋根側面部２１は、前記ケラバ側端面４ｂである前記垂木としての框材１ａの側面と前記面材１ｃの側端面に固定されることになる。
【００２７】
なお、前記軒先側端面４ａおよび前記被取付面１ｆは、前記屋根１の勾配角度に対して直交する角度に設定された面とされている。つまり、前記屋根１の勾配角度に対する前記軒先側端面４ａおよび前記被取付面１ｆの角度は９０度に設定され、該軒先側端面４ａおよび被取付面１ｆは、上端部に向かって迫り上がるようにして斜めに配置されている。
一方の前記ケラバ側端面４ｂは、前記框材１ａの側面と前記面材１ｃの側端面とが面一な状態の鉛直面とされている。
【００２８】
また、前記屋根１の外周端面４は、前記軒先側端面４ａと前記ケラバ側端面４ｂとが交差するコーナー部を有する。
該コーナー部としては、前記軒先側端面４ａと前記ケラバ側端面４ｂとが出隅状に交差する出隅コーナー部と、前記軒先側端面４ａと前記ケラバ側端面４ｂとが入隅状に交差する入隅コーナー部とがある。
【００２９】
前記屋根１の面材１ｃの上面には、図１および図２に示すように、前記屋根１の勾配方向および該屋根１の勾配方向と直交する方向に沿って、複数の屋根材５…，６…が葺設されている。
なお、本実施の形態の屋根材５…，６…は、例えば粘土や陶器等の瓦が採用されているが、これに限られるものではなく、例えばスレートや金属製の屋根材等であってもよい。
【００３０】
前記屋根材５は、前記屋根１の勾配方向に、かつ該屋根１のケラバ側端部に沿って複数並設されるものである。そして、この屋根材５は、上面を構成する上面部５ａと、該屋根材５を構成し、かつ上端部が前記上面部５ａのケラバ側端部と一体形成される側壁部５ｂと、を備える。さらに、この屋根材５は、該屋根材５の傾斜方向に沿って配置されるとともに前記上面部５ａの裏面に一体形成される複数の突条部５ｃ，５ｃと、これら複数の突条部５ｃ，５ｃのうち屋根材５の傾斜方向上端部に一体形成されるとともに後述する屋根材用桟材８に引っ掛けられる引掛部５ｄ，５ｄと、を備える。
前記屋根材６は、前記側壁部５ｂを除き、前記屋根材５と略同様に形成されている。すなわち、前記屋根材６は、前記ケラバ部３に配置されるものではないため、前記側壁部５ｂは具備されない。
【００３１】
さらに、前記屋根１の勾配方向と直交するに隣接する前記屋根材５，６（６，６）同士は、隣接する側端部の凹凸嵌合部５ｅ，６ｅ同士が凹凸嵌合することによって連結されている。
また、前記屋根１の勾配方向に隣接する屋根材５，５（６，６）同士のうち、勾配方向上方に位置する屋根材５（６）の突条部５ｃ，５ｃと、勾配方向下方に位置する屋根材５（６）の上面部５ａとの間には水密材７が設けられている。
【００３２】
また、前記屋根１の面材１ｃの上面には、前記屋根材５…，６…の引掛部５ｄが引っ掛けられる複数の前記屋根材用桟材８…が、前記鼻隠し板としての框材１ａと平行に配置され、かつ勾配方向に間隔をあけて固定されている。
また、前記他方の調整材１ｄの上面には、前記屋根１の勾配方向と直交する方向に沿って、軒先側桟材１０が固定されている。この軒先側桟材１０上には、前記屋根１の軒先側端部に沿って並設される複数の屋根材５…，６…のうち、前記突条部５ｃ，５ｃの傾斜方向下端部が載置されている。つまり、前記屋根１の軒先側端部に沿って並設される複数の屋根材５…，６…の傾斜方向下端部が、前記軒先側桟材１０によって支持されている。
なお、前記軒先側桟材１０と前記他方の調整材１ｄとの間には、前記屋根１の上面から前記樋材２０の上部開口部２５ｃにかけて配置される水切り部材９が介在した状態となっている。つまり、前記軒先側桟材１０は、前記水切り部材９を釘５１等で固定した後に、前記他方の調整材１ｄ上に固定される。
【００３３】
また、前記屋根１の軒先側端部と前記建物の外壁１７との間には軒天井材１１が水平に架設されている。
さらに、前記軒天井材１１の上面には野縁１１ａが取り付けられており、該野縁１１ａは、前記垂木としての框材１ａまたは桟材１ｂに取り付けられた吊木１１ｂによって、該框材１ａまたは桟材１ｂに対して吊られている。
また、前記屋根裏空間１３は、前記屋根１と前記軒天井材１１との間の空間と、前記外壁１７よりも建物中央側に位置する屋根１の下方空間とを指している。
なお、前記屋根裏空間１３を構成する該空間同士は、図１に示すように、前記垂木としての框材１ａおよび桟材１ｂの下面と、前記面材１ｃとの高低差により生じる空間部を利用して連通された状態となっている。つまり、前記垂木としての框材１ａおよび桟材１ｂは、前記外壁１７の上端部によって支持された状態となっている。
【００３４】
＜樋材の構成＞
前記樋材２０（２０Ａ，２０Ｂ）は、図１，図２，図５，図６に示すように、上述のように前記屋根側面部２１と、前記外部側面部２２と、前記底面部２３とを主体として構成された長尺物であり、上部には、雨水を流れこませるために前記上部開口部２５ｃが形成された状態となっている。また、前記樋材２０（２０Ａ，２０Ｂ）は、本実施の形態においては金属製であるが、これに限定されるものではなく、樹脂製等でも良い。
さらに、前記樋材２０（２０Ａ，２０Ｂ）は、前記屋根側面部２１の上端部に一体形成されるとともに、該屋根側面部２１よりも屋根１側に延出する延出部２４を備える。
また、前記樋材２０（２０Ａ，２０Ｂ）は、前記上部開口部２５ｃを含んで構成される上面部２５を備える。
【００３５】
なお、本実施の形態においては、図５に示すように、前記屋根１の外周端面４のうち、前記軒先側端面４ａまたは前記ケラバ側端面４ｂの直線部分（コーナー部ではない部分）に取り付けられるものは樋材２０と称する。さらに、前記外周端面４の前記出隅コーナー部に取り付けられるものはコーナー用樋材２０Ａと称し、前記入隅コーナー部に取り付けられるものはコーナー用樋材２０Ｂと称する。また、前記コーナー用樋材２０Ａ，２０Ｂは、平面視略Ｌ字状に形成されている。
ただし、いずれの形態の樋材２０，２０Ａ，２０Ｂであっても、その断面形状は、図６に示すように同一とされている。つまり、前記コーナー用樋材２０Ａ，２０Ｂは、二つの同一断面の前記樋材２０，２０同士が接合されることによって形成されている。より詳細には、前記コーナー用樋材２０Ａ，２０Ｂは、前記二つの樋材２０，２０の接合側端部を、平面視（または底面視）において同一角度Ｂで斜めカットしたもの同士を接合することによって構成されている。また、これら樋材２０，２０同士の接合部２６には、稜線２６ａが現れる。
なお、前記角度Ｂは、本実施の形態においては４５度に設定されている。したがって、前記コーナー用樋材２０Ａ，２０Ｂは、平面視において直角に形成されている。
【００３６】
前記屋根側面部２１は、上述のように、前記屋根１の外周端面４に固定されるものである。より詳細には、前記軒先部２においては、図１，図６に示すように、前記被取付面１ｆに当接固定されるものである。また、前記ケラバ部３においては、図２，図６に示すように、前記垂木としての前記框材１ａの側面および前記面材１ｃの側端面に当接固定されるものである。
この屋根側面部２１は、断面視において略Ｌ字状に形成されるとともに前記被取付面１ｆに対して山型に突出する取付部２１ａを有する。なお、該取付部２１ａは、前記屋根側面部２１の下端部に一体形成されている。
前記取付部２１ａを構成する二つの面のうち、上側の面にはビス孔（図示せず）が形成されており、ビス５０を、該ビス孔から斜めに前記被取付面１ｆに対してねじ込むことによって、前記屋根側面部２１を前記被取付面１ｆに固定できるようになっている。
【００３７】
前記外部側面部２２は、上述のように、前記屋根側面部２１と平行に、かつ外部側に離間して配置されるものである。つまり、該外部側面部２２と前記屋根側面部２１とは、図６に示すように、側断面視において等しい角度に設定されている。
また、上述のように、前記第一底面部２３ａに対する該外部側面部２２の角度Ａは、屋根勾配プラス９０度に設定されている。本実施の形態の屋根１は１／２勾配であるため、具体的に前記角度Ａは、１１６．５７度となる。例えば前記屋根１が１／３勾配の場合には、前記角度Ａは、１０８．４３度となる。
【００３８】
前記底面部２３は、上述のように、前記屋根側面部２１および前記外部側面部２２の下端部間に架け渡されるようにして一体形成されるものである。さらに、該底面部２３は、上述のように前記第一底面部２３ａと前記第二底面部２３ｂとを有することによって断面略Ｌ字状の溝として形成されている。
なお、前記第一底面部２３ａと前記第二底面部２３ｂとは一体形成されており、前記第一底面部２３ａと前記第二底面部２３ｂとで構成される前記断面略Ｌ字状の溝の内側面は、図６に示すように、断面視において曲面とされている。
【００３９】
前記第一底面部２３ａは、前記外部側面部２２に対する角度Ａが、屋根勾配プラス９０度に設定されているため、前記樋材２０を前記軒先側端面４ａに固定した場合は、水平配置されることになる。
一方、前記樋材２０を前記ケラバ側端面４ｂに固定した場合は、前記ケラバ側端面４ｂは鉛直面であるため、前記第一底面部２３ａは、前記外部側面部２２に向かって迫り上がるようにして斜めに配置されることになる。
なお、前記第一底面部２３ａの屋根側端部から外部側端部までの長さは、前記屋根１の勾配に関わらず一定の長さに設定されている。
【００４０】
前記第二底面部２３ｂは、前記第一底面部２３ａに対する角度Ｄが９０度に設定されている。
また、前記第二底面部２３ｂの、前記第一底面部２３ａ側の端部から前記屋根側面部２１の前記取付部２１ａ側の端部までの長さは、前記屋根１の勾配角度に応じて製造段階で適宜変更される。つまり、前記屋根１の勾配角度が大きく（高く）なれば、これに応じて前記角度Ａも大きくなるため、その分、前記第一底面部２３ａ側の端部から前記屋根側面部２１の前記取付部２１ａ側の端部までの長さも長くなる。反対に、前記屋根１の勾配角度が小さく（低く）なれば、これに応じて前記角度Ａも小さくなるため、その分、前記第一底面部２３ａ側の端部から前記屋根側面部２１の前記取付部２１ａ側の端部までの長さも短くなる。
また、これに応じて、前記屋根側面部２１に対する該第二底面部２３ｂの角度も製造段階で適宜変更されることになる。
【００４１】
前記延出部２４は、図１，図２，図６に示すように、前記屋根側面部２１に対する角度Ｃが９０度に設定されており、前記屋根１の上面に固定されている。より詳細には、該延出部２４は、前記屋根１の軒先側端部においては前記他方の調整材１ｄに固定されており、前記屋根１のケラバ側端部においては前記面材１ｃおよび前記框材１ａに固定されている。
また、前記延出部２４にはビス孔（図示せず）が形成されており、ビス５０を、該ビス孔から前記屋根１の上面に対してねじ込むことによって、該延出部２４を前記屋根１の上面に固定できるようになっている。
したがって、前記延出部２４と前記屋根側面部２１とで、前記屋根１の外周端部を上方および側方から挟み込んだような状態となっている。
【００４２】
前記上面部２５は、図６に示すように、前記上部開口部２５ｃよりも前記屋根１側に位置し、前記屋根側面部２１の上端部および前記延出部２４に一体形成される部位２５ａと、前記上部開口部２５ｃよりも外部側に位置し、前記外部側面部２２の上端部に一体形成される部位２５ｂとを有する。前記上部開口部２５ｃは、これら一方の部位２５ａと他方の部位２５ｂとの間に形成されている。
また、前記一方の部位２５ａは、前記屋根側面部２１に対する角度は９０度に設定されており、前記他方の部位２５ｂは、前記外部側面部２２に対する角度は９０度に設定されている。
【００４３】
また、前記上面部２５は、前記上部開口部２５ｃを覆う樋カバー材３０が固定される被固定部２５ｄ，２５ｅを有する。一方の被固定部２５ｄは、前記上面部２５の一方の部位２５ａの下面に一体形成されており、他方の被固定部２５ｅは、前記上面部２５の他方の部位２５ｂの下面に一体形成されている。
前記被固定部２５ｄ，２５ｅのそれぞれは、前記上面部２５の下面から下方に向かって突出する突出板部と、該突出板部の下端部から前記上部開口部２５ｃ側に突出するとともに前記樋カバー材３０が固定される被固定板部とを備える。前記樋カバー材３０は、該被固定板部に対して、ビス５０で固定されている。
【００４４】
また、長さ方向に隣接する前記樋材２０，２０同士、前記樋材２０と前記コーナー用樋材２０Ａ（２０Ｂ）同士は、図５に示すように、連結部分の内周面に取り付けられる内継手としてのジョイナー２７を用いて連結されている。
なお、前記ジョイナー２７は、前記樋材２０の内周面形状に対応して形成されている。
また、前記ジョイナー２７と前記連結部分の内周面との間には、図示はしないが、該連結部分からの漏水を防ぐためのシール材が介在しているものとする。
【００４５】
以上のような樋材２０（２０Ａ，２０Ｂ）によれば、前記屋根側面部２１が前記屋根１の外周端面４に固定されることによって、前記外部側面部２２は、前記屋根１の外周端面４から外部側に離間して配置される。したがって、前記外部側面部２２は、前記屋根側面部２１に対して、前記屋根１の勾配方向下方に位置することになる。
また、前記外部側面部２２の下端部に前記第一底面部２３ａが一体形成され、前記第一底面部２３ａに対する前記外部側面部２２の角度Ａが屋根勾配プラス９０度に設定されているので、前記軒先側端面４ａに取り付けられる前記樋材２０の前記第一底面部２３ａは、図１，図３に示すように、水平配置されることになる。
一方、前記樋材２０を前記ケラバ側端面４ｂに取り付けた際には、前記屋根側面部２１と前記外部側面部２２とが等しい高さに配置されることになるので、図２，図３に示すように、前記第一底面部２３ａは、前記外部側面部２２に向かって迫り上がるようにして斜めに配置されることになる。
【００４６】
さらに、前記第一底面部２３ａに対する前記第二底面部２３ｂの角度Ｄは９０度に設定されているので、前記樋材２０が前記軒先側端面４ａに固定され、前記第一底面部２３ａが水平配置されることにより、前記第二底面部２３ｂは、鉛直方向に立ち上がるようにして配置されることになる。
また、前記樋材２０が前記ケラバ側端面４ｂに固定され、前記第一底面部２３ａが、前記外部側面部２２に向かって迫り上がるようにして斜めに配置されることにより、前記第二底面部２３ｂは、前記屋根側面部２１に向かって迫り上がるようにして斜めに配置されることになる。
【００４７】
＜樋カバー材の構成＞
前記樋カバー材３０は、図１および図２に示すように、前記軒先部２側に設けられるものを樋カバー材３０Ａと称し、前記ケラバ部３側に設けられるものを樋カバー材３０Ｂと称する。
すなわち、前記樋カバー材３０Ａは、前記軒先側端面４ａの長さ方向に沿って長尺に形成されている。また、前記樋カバー材３０Ｂは、前記ケラバ側端面４ｂの長さ方向に沿って長尺に形成されており、前記屋根１の勾配方向に応じ、傾斜して配置されている。
【００４８】
前記樋カバー材３０Ａは、図１に示すように、図示しない前記複数の排水孔が形成された上面部３１と、前記樋材２０（２０Ａ，２０Ｂ）の前記他方の被固定部２５ｅに固定される外部側固定部３２と、前記屋根材用桟材８の側面にビス５０によって固定される屋根側固定部３４とを備える。
【００４９】
前記樋カバー材３０Ｂは、図２に示すように、前記樋カバー材３０Ａの上面部３１と同様の構成の上面部３１と、前記樋カバー材３０Ａの外部側固定部３２と同様の構成の外部側固定部３２と、前記外部側固定部３２と対称的に構成されるとともに前記樋材２０（２０Ａ，２０Ｂ）の前記一方の被固定部２５ｄに固定される屋根側固定部３３とを備える。
【００５０】
なお、前記軒先部２側の樋カバー材３０Ａと前記ケラバ部３側の樋カバー材３０Ｂは、前記外周端面４のコーナー部において、互いの接合側端部が、平面視において同一角度Ｂで斜めカットされて接合されているものとする。
【００５１】
＜鼻隠し部材の構成＞
前記鼻隠し部材４０は、図１および図２に示すように、前記軒先部２側に設けられるものを鼻隠し部材４０Ａと称し、前記ケラバ部３側に設けられるものを鼻隠し部材４０Ｂと称する。
すなわち、前記鼻隠し部材４０Ａは、前記軒先側端面４ａの長さ方向に沿って長尺に形成されている。また、前記鼻隠し部材４０Ｂは、前記ケラバ側端面４ｂの長さ方向に沿って長尺に形成されており、前記屋根１の勾配方向に応じ、傾斜して配置されている。
【００５２】
前記鼻隠し部材４０Ａは、図１に示すように、前記一対の調整材１ｄ，１ｄ間に挟み込まれて固定される固定部４１Ａと、複数の通気孔４３Ａａ…が長さ方向に並んで形成される正面部４３Ａと、前記樋材２０（２０Ａ，２０Ｂ）の前記第一底面部２３ａの延長線上に配置される底面部４４Ａと、前記垂木としての前記框材１ａまたは前記桟材１ｂの下面に釘５１等で固定される背面部４５Ａとを備える。
【００５３】
なお、前記鼻隠し部材４０Ａと前記樋材２０（２０Ａ，２０Ｂ）との間には、前記鼻隠し部材４０Ａの長さ方向に沿って長尺なスリットＥが形成されている。
前記複数の通気孔４３Ａａは、前記スリットＥに向かって開口した状態となっている。
【００５４】
前記鼻隠し部材４０Ｂは、図２に示すように、前記垂木としての前記框材１ａにビス５０等で固定される固定部４１Ｂと、複数の通気孔４３Ｂａ…が長さ方向に並んで形成される正面部４３Ｂと、前記樋材２０（２０Ａ，２０Ｂ）の前記第一底面部２３ａの延長線上に配置される底面部４４Ｂと、前記桁材としての前記桟材１ｂの下面にビス５０等で固定される背面部４５Ｂとを備える。
【００５５】
なお、前記鼻隠し部材４０Ｂと前記樋材２０（２０Ａ，２０Ｂ）との間には、前記鼻隠し部材４０Ｂの長さ方向に沿って長尺な前記スリットＥが形成されている。
前記複数の通気孔４３Ｂａは、前記スリットＥに向かって開口した状態となっている。
さらに、前記鼻隠し部材４０Ｂの前記背面部４５Ｂは、前記外壁１５近傍に配置されており、前記背面部４５Ｂと前記外壁１５との間には、前記鼻隠し部材４０Ｂの長さ方向に沿って長尺なスリットＦが形成されている。より詳細には、前記外壁１５の表面には、胴縁１６ａを介して外壁材１６が取り付けられており、前記スリットＦは、該外壁材１６と前記背面部４５Ｂとの間に形成されている。
【００５６】
また、前記軒先側端面４ａの鼻隠し部材４０Ａと前記ケラバ側端面４ｂの鼻隠し部材４０Ｂは、前記外周端面４のコーナー部において、互いの接合側端部が、平面視において同一角度Ｂで斜めカットされて接合されている。また、これら鼻隠し部材４０Ａ，４０Ｂ同士の接合部４６には、稜線４６ａが現れる。
そして、前記樋材２０，２０同士の接合部２６に現れる稜線２６ａと、前記鼻隠し部材４０Ａ，４０Ｂ同士の接合部４６に現れる稜線４６ａとが、図４に示すように、前記コーナー部において一直線上に配置されている。
【００５７】
なお、本実施の形態において各種部材の固定用に用いられたビス５０や釘５１等の止着材は、各種部材を固定する際に、必要に応じて複数本用いられるとともに、適切な位置に設けられることは言うまでもない。
【００５８】
本実施の形態によれば、前記ケラバ側端面４ｂにおいては前記第一底面部２３ａが外部側に向かって斜めに配置されているため、前記外壁１５に当たった風が上方に吹き上がった際に、この風を、前記第一底面部２３ａに沿って誘導できるので、例えば前記ケラバ側端面４ｂにおいて前記第一底面部２３ａが水平配置される場合に比して、効率良く風を逃がすことができる。
さらに、前記軒先側端面４ａにおいては、前記外壁１７に当たった風が上方に吹き上がった際に、一旦、前記水平配置された第一底面部２３ａにあたるが、前記軒先側端面４ａ側の樋材２０と前記ケラバ側端面４ｂ側の樋材２０とが連続的に設けられるので、この風を、前記ケラバ部３側へと逃がし、さらに前記ケラバ側端面４ｂの斜めに配置された前記第一底面部２３ａに沿って効率良く逃がすことができる。
これによって、風による前記屋根１の軒先部２およびケラバ部３の経年劣化を抑制することが可能となる。
【００５９】
また、前記ケラバ側端面４ｂにおいて前記第一底面部２３ａが斜めに配置されているので、この第一底面部２３ａに付着した雨水を誘導して意図的に下方に落とすことができる。これによって、雨が上がった後の乾燥を早めることができるので、粉塵等の付着を抑制でき、前記第一底面部２３ａを綺麗な状態に保つことができる。さらに、このように雨水を意図的に下方に落とせるので、例えば表面張力等によって長時間雨水が付着してしまう場合に比して、前記ケラバ側端面４ｂの樋材２０の経年劣化をさらに抑制することができる。
【００６０】
また、前記底面部２３は、前記第一底面部２３ａと、前記第二底面部２３ｂとを有することによって断面略Ｌ字状の溝として形成されているので、前記ケラバ部３側においては、前記底面部２３を屋根１の勾配方向下方に流れる雨水の水深を深くすることができる。これによって、例えば前記ケラバ部３側において前記底面部２３が平らに配置される場合に比して、前記底面部２３に入ったゴミや粉塵等の異物等を流すのに必要な水勢を確保できるので、該異物等が溜まるのを抑制することができる。
【００６１】
また、前記樋材２０と同一断面の樋材２０によって構成された平面視略Ｌ字状の前記コーナー用樋材２０Ａ（２０Ｂ）が、前記外周端面４のコーナー部に取り付けられているので、このコーナー用樋材２０Ａ（２０Ｂ）に対して、前記軒先側端面４ａおよび前記ケラバ側端面４ｂに取り付けられた前記樋材２０を接合しやすい。これによって、このコーナー用樋材２０Ａ（２０Ｂ）によって、前記軒先側端面４ａに取り付けられた前記樋材２０と、前記ケラバ側端面４ｂに取り付けられた前記樋材２０とを確実に連結することができるので、前記樋材２０（２０Ａ，２０Ｂ）を、前記屋根１の外周端面４に沿って連続的に取り付けることができる。
また、前記コーナー用樋材２０Ａ（２０Ｂ）は、前記樋材２０と同一断面の樋材２０の接合側端部を、平面視において同一角度Ｂで斜めカットしたもの同士を接合することによって構成されているので、一方の前記樋材２０と他方の前記樋材２０との接合面を境に左右対称に形成することができる。これによって、前記コーナー用樋材２０Ａ（２０Ｂ）のうち前記軒先側端面４ａに取り付けられる部位（すなわち、樋材２０）の第一底面部２３ａを水平配置すれば、前記ケラバ側端面４ｂに取り付けられる部位（すなわち、樋材２０）を前記屋根１の勾配に合わせて傾斜させることができる。
【００６２】
また、前記コーナー部は、出隅コーナー部または入隅コーナー部であることから、前記出隅コーナー部付近または前記入隅コーナー部付近を流れる雨水を、前記コーナー用樋材２０Ａ（２０Ｂ）によって確実に受けることができる。
【００６３】
また、前記屋根側面部２１に対する前記延出部２４の角度Ｃは９０度に設定され、該延出部２４は、前記屋根１の上面に固定されているので、前記樋材２０（２０Ａ，２０Ｂ）自体を、前記屋根側面部２１と前記延出部２４を介して前記屋根１に固定することができる。前記屋根側面部２１に対する前記延出部２４の角度Ｃは、屋根勾配に関わらず９０度に設定されているので、例えば屋根勾配に従って前記第一底面部２３ａに対する前記外部側面部２２の角度Ａを適宜変更したとしても、前記屋根側面部２１に対する前記延出部２４の角度Ｃは変わらず、前記樋材２０（２０Ａ，２０Ｂ）を、前記屋根１に確実に取り付けることができる。
【００６４】
また、前記第一底面部２３ａに対する前記第二底面部２３ｂの角度Ｄは９０度に設定されているので、前記第一底面部２３ａを水平配置すれば、前記樋材２０（２０Ａ，２０Ｂ）を見上げた時に前記第二底面部２３ｂが目に入りにくくなる。また、前記第一底面部２３ａを、前記外部側面部２２に向かって迫り上がるようにして斜めに配置すれば、前記第二底面部２３ｂが、前記屋根側面部２１に向かって迫り上がるようにして斜めに配置されることになる。つまり、前記樋材２０（２０Ａ，２０Ｂ）は、比較的角張った状態となっており、前記樋材２０（２０Ａ，２０Ｂ）を見た人にシャープな印象を与えることができる。
【符号の説明】
【００６５】
１  屋根
１ａ  框材
１ｂ  桟材
１ｃ  面材
１ｄ  調整材
１ｅ  鉛直面
１ｆ  被取付面
２  軒先部
３  ケラバ部
４  外周端面
４ａ  軒先側端面
４ｂ  ケラバ側端面
５  屋根材
６  屋根材
１５  外壁
２０  樋材
２０Ａ  コーナー用樋材
２０Ｂ  コーナー用樋材
２１  屋根側面部
２２  外部側面部
２３  底面部
２３ａ  第一底面部
２３ｂ  第二底面部
２４  延出部
２５  上面部
２５ｃ  上部開口部
３０  樋カバー材
４０  鼻隠し部材
Ａ  角度
Ｂ  角度
Ｃ  角度
Ｄ  角度
Ｅ  スリット
Ｆ  スリット
【図１】
2014015720.tif 000003
【図２】
2014015720.tif 000004
【図３】
2014015720.tif 000005
【図４】
2014015720.tif 000006
【図５】
2014015720.tif 000007
【図６】
2014015720.tif 000008